【手続補正書】
【提出日】平成28年12月26日(2016.12.26)
【手続補正１】
【補正対象書類名】明細書
【補正対象項目名】０００８
【補正方法】変更
【補正の内容】
【０００８】
上記目的を達成するために、本発明は、遊技球が流下する遊技領域を有する遊技盤と、前記遊技領域に設けられた始動口および大入賞口と、前記始動口に遊技球が入賞したことを契機に特別図柄の当否に係る特図抽選を行う特別図柄抽選手段と、前記特図抽選の結果が当たりとなると前記大入賞口を開閉させて当たり遊技を実行する当たり遊技実行手段と、を備えるパチンコ機であって、前記当たり遊技では、前記大入賞口を１回以上開放する開放遊技が少なくとも１回以上実行され、前記開放遊技が実行されている場合に前記開放遊技の実行を示す作動中情報を記憶し、前記開放遊技が実行されていない場合に前記当たり遊技実行中ではないことを示す非作動中情報を記憶する作動情報記憶手段と、前記大入賞口に遊技球が入賞したことを検知して検知信号を出力する入賞球検知手段と、前記検知信号の正否を判定する不正正否判定手段と、を備え、前記不正正否判定手段は、前記検知信号の入力があったときに、前記作動情報記憶手段が前記作動中情報を記憶している場合には正常と判定し、前記作動情報記憶手段が前記非作動中情報を記憶している場合には異常と判定することを特徴とする。
【手続補正２】
【補正対象書類名】明細書
【補正対象項目名】０００９
【補正方法】変更
【補正の内容】
【０００９】
本発明によると、入賞球検知手段によって出力された検知信号が不正なものであるか否かの判定を作動情報記憶手段が記憶している作動情報（作動中情報、非作動中情報）に基づいて行うことができるため、大入賞口への不正入賞を検出する処理が比較的簡素である。
【手続補正３】
【補正対象書類名】明細書
【補正対象項目名】００１１
【補正方法】変更
【補正の内容】
【００１１】
また、本発明は、上記構成において、前記大入賞口および前記入賞球検知手段をそれぞれ複数備えると共に、前記特図抽選の結果が当たりである場合に、その当選に係る特別図柄の種類を複数の中から決定する特別図柄種類決定手段とを備え、複数の前記大入賞口は、少なくとも第１大入賞口および第２大入賞口を含み、複数の前記入賞球検知手段は、前記第１大入賞口に遊技球が入賞したことを検知して第１検知信号を出力する第１入賞球検知手段および前記第２大入賞口に遊技球が入賞したことを検知して第２検知信号を出力する第２入賞球検知手段を含み、前記当たり遊技実行手段は、決定された前記特別図柄の種類に基づいて、前記開放遊技の実行により前記第１大入賞口および前記第２大入賞口のいずれかを開放させて前記当たり遊技を実行し、前記作動情報記憶手段は、前記第１大入賞口の開放により前記開放遊技が実行されている場合に前記作動中情報として第１作動中情報を記憶し、前記第２大入賞口の開放により前記開放遊技が実行されている場合に前記作動中情報として第２作動中情報を記憶し、前記不正正否判定手段は、前記第１検知信号の入力があったとき、前記作動情報記憶手段が前記第１作動中情報を記憶している場合には当該第１検知信号を正常と判定すると共に、前記作動情報記憶手段が前記第２作動中情報または前記非作動中情報を記憶している場合には当該第１検知信号を異常と判定し、前記第２検知信号の入力があったとき、前記作動情報記憶手段が前記第２作動中情報を記憶している場合には当該第２検知信号を正常と判定すると共に、前記作動情報記憶手段が前記第１作動中情報または前記非作動中情報を記憶している場合には当該第２検知信号を異常と判定することを特徴とする。
【手続補正４】
【補正対象書類名】明細書
【補正対象項目名】００１２
【補正方法】変更
【補正の内容】
【００１２】
本発明によると、第１大入賞口に遊技球が入賞すると第１検知信号が出力され、第２大入賞口に遊技球が入賞すると第２検知信号が出力されるようになっており、第１検出信号と第２検出信号のいずれが出力された場合であっても、作動情報記憶手段が記憶している作動情報（第１作動中情報、第２作動中情報、非作動中情報）に基づいて不正入賞を検出する。このため、複数の大入賞口を備えるパチンコ機であっても、大入賞口への不正入賞を検出する処理を簡素なものとすることができる。
【手続補正５】
【補正対象書類名】明細書
【補正対象項目名】００１３
【補正方法】変更
【補正の内容】
【００１３】
また、本発明では、開放遊技の実行により第１大入賞口および第２大入賞口のいずれかを開放させるようになっているため、開放遊技で開放しない大入賞口が存在することになるが、この大入賞口に対して不正行為が行われて検知信号が出力されたとしても、作動情報記憶手段が記憶する作動情報（第１作動中情報、第２作動中情報）に基づいて、当該検知信号を不正なものであると判定する。このため、本発明は、当たり遊技中に開放されない大入賞口に対して不正な入賞が行われたとしても不正入賞を検出することができるので、大入賞口への不正入賞を一層防止することができる。
【手続補正６】
【補正対象書類名】明細書
【補正対象項目名】０２９３
【補正方法】変更
【補正の内容】
【０２９３】
なお、本実施形態例の作動情報「０１Ｈ」が本発明の「第１作動中情報」に相当し、本実施形態例の作動情報「０２Ｈ」が本発明の「第２作動中情報」に相当する。また、本実施形態例の作動情報「００Ｈ」が本発明の「非作動中情報」に相当する。
【手続補正７】
【補正対象書類名】明細書
【補正対象項目名】０３４１
【補正方法】変更
【補正の内容】
【０３４１】
なお、本実施形態例におけるアタッカー装置作動判定フラグに「０１Ｈ」がセットされている場合が、本発明における「作動情報記憶手段が第１作動中情報を記憶している場合」に相当し、アタッカー装置作動判定フラグに「０２Ｈ」がセットされている場合が、本発明における「作動情報記憶手段が第２作動中情報を記憶している場合」に相当する。また、本実施形態例におけるアタッカー装置作動判定フラグに「００Ｈ」がセットされている場合が、本発明における「作動情報記憶手段が非作動中情報を記憶している場合」に相当する。
【手続補正８】
【補正対象書類名】特許請求の範囲
【補正対象項目名】全文
【補正方法】変更
【補正の内容】
【特許請求の範囲】
【請求項１】
遊技球が流下する遊技領域を有する遊技盤と、前記遊技領域に設けられた始動口および大入賞口と、前記始動口に遊技球が入賞したことを契機に特別図柄の当否に係る特図抽選を行う特別図柄抽選手段と、前記特図抽選の結果が当たりとなると前記大入賞口を開閉させて当たり遊技を実行する当たり遊技実行手段と、を備えるパチンコ機であって、
前記当たり遊技では、前記大入賞口を１回以上開放する開放遊技が少なくとも１回以上実行され、
前記開放遊技が実行されている場合に前記開放遊技の実行を示す作動中情報を記憶し、前記開放遊技が実行されていない場合に前記当たり遊技実行中ではないことを示す非作動中情報を記憶する作動情報記憶手段と、前記大入賞口に遊技球が入賞したことを検知して検知信号を出力する入賞球検知手段と、前記検知信号の正否を判定する不正正否判定手段と、を備え、
前記不正正否判定手段は、
前記検知信号の入力があったときに、前記作動情報記憶手段が前記作動中情報を記憶している場合には正常と判定し、前記作動情報記憶手段が前記非作動中情報を記憶している場合には異常と判定する
ことを特徴とするパチンコ機。
【請求項２】
請求項１の記載において、
前記大入賞口および前記入賞球検知手段をそれぞれ複数備えると共に、前記特図抽選の結果が当たりである場合に、その当選に係る特別図柄の種類を複数の中から決定する特別図柄種類決定手段とを備え、
複数の前記大入賞口は、少なくとも第１大入賞口および第２大入賞口を含み、
複数の前記入賞球検知手段は、前記第１大入賞口に遊技球が入賞したことを検知して第１検知信号を出力する第１入賞球検知手段および前記第２大入賞口に遊技球が入賞したことを検知して第２検知信号を出力する第２入賞球検知手段を含み、
前記当たり遊技実行手段は、決定された前記特別図柄の種類に基づいて、前記開放遊技の実行により前記第１大入賞口および前記第２大入賞口のいずれかを開放させて前記当たり遊技を実行し、
前記作動情報記憶手段は、前記第１大入賞口の開放により前記開放遊技が実行されている場合に前記作動中情報として第１作動中情報を記憶し、前記第２大入賞口の開放により前記開放遊技が実行されている場合に前記作動中情報として第２作動中情報を記憶し、
前記不正正否判定手段は、
前記第１検知信号の入力があったとき、前記作動情報記憶手段が前記第１作動中情報を記憶している場合には当該第１検知信号を正常と判定すると共に、前記作動情報記憶手段が前記第２作動中情報または前記非作動中情報を記憶している場合には当該第１検知信号を異常と判定し、
前記第２検知信号の入力があったとき、前記作動情報記憶手段が前記第２作動中情報を記憶している場合には当該第２検知信号を正常と判定すると共に、前記作動情報記憶手段が前記第１作動中情報または前記非作動中情報を記憶している場合には当該第２検知信号を異常と判定する
ことを特徴とするパチンコ機。
【請求項３】
請求項１の記載において、
前記不正正否判定手段により異常と判定されたことに基づいて、当該パチンコ機に障害が発生したことを報知可能な報知手段を備える
ことを特徴とするパチンコ機。